(57)【要約】【課題】本発明は全天候監視型湖沼管理システムを開示した。【解決手段】取り付け箱を含み、前記取り付け箱の中に伝動筐体が固定設置され、前記伝動筐体の右側に前記取り付け箱の中に位置される回転筐体が設置され、前記伝動筐体の左端壁に駆動電機が固定設置され、前記駆動電機の輸出軸の右端面に駆動歯車が固定設置され、前記駆動歯車の下に従動歯車が噛み合い設置され、前記従動歯車の中に回転レバーが固定設置され、前記回転レバーが前記伝動筐体の左端壁に回り係合接続され、前記伝動筐体の右端壁に延伸支柱が回り設置され、前記延伸支柱が回って前記回転筐体を貫いて右へ伸びて外部に伸べ、前記延伸支柱の中に貫通筐体が固定設置され、この設備がマルチ構造リンケージ駆動フィルター構造を採用し、高効率な湖沼ゴミ掃除が実現され、船型ごみ処理の非効率的な作業を効果的に回避する。【選択図】図1
2019196690.tif 000002
【特許請求の範囲】
【請求項１】
全天候監視型湖沼管理システムは取り付け箱を含み、前記取り付け箱の中に伝動筐体が固定設置され、前記伝動筐体の右側に前記取り付け箱の中に位置される回転筐体が設置され、前記伝動筐体の左端壁に駆動電機が固定設置され、前記駆動電機の輸出軸の右端面に駆動歯車が固定設置され、前記駆動歯車の下に従動歯車が噛み合い設置され、前記従動歯車の中に回転レバーが固定設置され、前記回転レバーが前記伝動筐体の左端壁に回り係合接続され、前記伝動筐体の右端壁に延伸支柱が回り設置され、前記延伸支柱が回って前記回転筐体を貫いて右へ伸びて外部に伸べ、前記延伸支柱の中に貫通筐体が固定設置され、前記貫通筐体の右側に前記延伸支柱の中に位置される動力筐体が設置され、前記回転レバーが回って前記貫通筐体を貫いて前記動力筐体に入り込み、前記回転レバーの右端面に駆動かさ歯車が固定設置され、前記駆動かさ歯車の下に従動かさ歯車が噛み合い設置され、前記従動かさ歯車の中に延伸レバーが固定設置され、前記延伸レバーが回って前記動力筐体を貫いて外部に伸びて、前記延伸レバーの上下側に動力箱が上下対称で設置され、前記動力箱の中に連結筐体が固定設置され、前記連結筐体の上下端壁にボトム歯車が固定設置され、前記ボトム歯車の中に上下貫く貫通ホールが固定設置され、前記ボトム歯車の間に左右対称の包囲歯車が噛み合い設置され、前記包囲歯車の中に固定軸が固定設置され、前記固定軸が前記延伸レバーに回り係合接続され、前記延伸レバーが前記連結筐体の中に入り込み、前記連結筐体の上下端壁に回り係合接続され、前記連結筐体の内壁に開いたリング溝が輪状に設置され、前記リング溝の中にいくつかのリングブロックが滑り設置され、前記リングブロックの間に遮るピースが設置され、前記連結筐体を封じて、前記固定軸が回って前記リングブロックを貫いて前記延伸レバーから離れ外部に伸びて、前記延伸レバーから離れる前記固定軸の端面にネット箱が固定設置され、前記ネット箱の中にフィルターが固定設置され、前記延伸レバーから離れる前記リングブロックの端面にカバープレートがボルトで係合接続され固定設置され、前記取り付け箱の上端面に照明装置が固定設置され、前記固定軸が前記カバープレートとの接触部に防水ガスケットが設置され、前記包囲歯車とボトム歯車が垂直に配置され、前記包囲歯車が前記連結筐体の歯型ラインの外側が前記延伸レバーをめぐって回転し、前記取り付け箱が湖面の任意のフレーム構造に整合して架設され、フィルターを水に入らせ、前記延伸レバーが回転してから、前記包囲歯車とボトム歯車との噛み合いによって、前記ネット箱が回転して、前記延伸レバーが前記動力箱に回り係合される処に防水式軸受が採用され、照明装置が接続台を含み、前記接続台の中に開き口が上向きのオープン取り付け筐体が固定設置され、前記オープン取り付け筐体の下端壁に開き口が上向きで左右対称の接続スロット溝が連結設置され、前記オープン取り付け筐体の中に固定レバーが設置され、前記固定レバーの下端面に左右対称の接続スロットが固定設置され、前記接続スロットが前記接続スロット溝に入り込んで前記接続スロット溝に支え合い、前記固定レバーがボルトで前記接続台に固定され、前記固定レバーの上端面にフラッシングライトが固定設置される。
【発明の詳細な説明】
【技術分野】
【０００１】
本発明はエコロジー分野に関し、具体的には、全天候監視型湖沼管理システムに関する。
【背景技術】
【０００２】
湖沼管理は環境保護の重要な仕事内容で、普段の湖沼管理では、船で湖沼表面のごみ清掃やリサイクルを行い、従業員の負担が増え、湖沼管理の効果が低下し、この設備で問題を解決する。
【先行技術文献】
【特許文献】
【０００３】
【特許文献１】中国特許出願公開第102862449号明細書
【発明の概要】
【発明が解決しようとする課題】
【０００４】
本発明の目的は上記の背景技術に提出された問題を解決するための全天候監視型湖沼管理システムを提供することにある。
【課題を解決するための手段】
【０００５】
本発明の全天候監視型湖沼管理システムは取り付け箱を含み、前記取り付け箱の中に伝動筐体が固定設置され、前記伝動筐体の右側に前記取り付け箱の中に位置される回転筐体が設置され、前記伝動筐体の左端壁に駆動電機が固定設置され、前記駆動電機の輸出軸の右端面に駆動歯車が固定設置され、前記駆動歯車の下に従動歯車が噛み合い設置され、前記従動歯車の中に回転レバーが固定設置され、前記回転レバーが前記伝動筐体の左端壁に回り係合接続され、前記伝動筐体の右端壁に延伸支柱が回り設置され、前記延伸支柱が回って前記回転筐体を貫いて右へ伸びて外部に伸べ、前記延伸支柱の中に貫通筐体が固定設置され、前記貫通筐体の右側に前記延伸支柱の中に位置される動力筐体が設置され、前記回転レバーが回って前記貫通筐体を貫いて前記動力筐体に入り込み、前記回転レバーの右端面に駆動かさ歯車が固定設置され、前記駆動かさ歯車の下に従動かさ歯車が噛み合い設置され、前記従動かさ歯車の中に延伸レバーが固定設置され、前記延伸レバーが回って前記動力筐体を貫いて外部に伸びて、前記延伸レバーの上下側に動力箱が上下対称で設置され、前記動力箱の中に連結筐体が固定設置され、前記連結筐体の上下端壁にボトム歯車が固定設置され、前記ボトム歯車の中に上下貫く貫通ホールが固定設置され、前記ボトム歯車の間に左右対称の包囲歯車が噛み合い設置され、前記包囲歯車の中に固定軸が固定設置され、前記固定軸が前記延伸レバーに回り係合接続され、前記延伸レバーが前記連結筐体の中に入り込み、前記連結筐体の上下端壁に回り係合接続され、前記連結筐体の内壁に開いたリング溝が輪状に設置され、前記リング溝の中にいくつかのリングブロックが滑り設置され、前記リングブロックの間に遮るピースが設置され、前記連結筐体を封じて、前記固定軸が回って前記リングブロックを貫いて前記延伸レバーから離れ外部に伸びて、前記延伸レバーから離れる前記固定軸の端面にネット箱が固定設置され、前記ネット箱の中にフィルターが固定設置され、前記延伸レバーから離れる前記リングブロックの端面にカバープレートがボルトで係合接続され固定設置され、前記取り付け箱の上端面に照明装置が固定設置される。
【０００６】
更の技術プラン、前記固定軸が前記カバープレートとの接触部に防水ガスケットが設置される。
【０００７】
更の技術プラン、前記包囲歯車とボトム歯車が垂直に配置され、前記包囲歯車が前記連結筐体の歯型ラインの外側が前記延伸レバーをめぐって回転する。
【０００８】
更の技術プラン、前記取り付け箱が湖面の任意のフレーム構造に整合して架設され、フィルターを水に入らせる。
【０００９】
更の技術プラン、前記延伸レバーが回転してから、前記包囲歯車とボトム歯車との噛み合いによって、前記ネット箱が回転して、前記延伸レバーが前記動力箱に回り係合される処に防水式軸受が採用される。
【００１０】
更の技術プラン、照明装置が接続台を含み、前記接続台の中に開き口が上向きのオープン取り付け筐体が固定設置され、前記オープン取り付け筐体の下端壁に開き口が上向きで左右対称の接続スロット溝が連結設置され、前記オープン取り付け筐体の中に固定レバーが設置され、前記固定レバーの下端面に左右対称の接続スロットが固定設置され、前記接続スロットが前記接続スロット溝に入り込んで前記接続スロット溝に支え合い、前記固定レバーがボルトで前記接続台に固定され、前記固定レバーの上端面にフラッシングライトが固定設置される。
【発明の効果】
【００１１】
本発明設備が初期状態では、前記駆動電機と回転電機が停止状態であり、それによって、上記構成が初期状態では元の位置に位置され、次の作業で調整を行い、設備の作業強調性を有効に高める。
【００１２】
設備が運行する時、前記駆動電機が起動され、前記駆動歯車を回転させ、前記駆動歯車が回転した後で前記従動歯車を連れて回転し、，前記駆動かさ歯車が前記従動かさ歯車を回転させ、前記従動かさ歯車が回転してから前記延伸レバーを回転させ、この時前記延伸レバーが回転してから前記包囲歯車が前記ボトム歯車をめぐってローリングして、前記リングブロックが前記リング溝の中に滑動し、この時、前記固定軸が回転して前記ネット箱を回転させ、前記フィルターが湖沼ゴミを付着させ、この時、前記フィルターの移動軌跡が上下回転しながら左右回転するものであり、前記回転電機が起動されてから前記噛み合い歯車が回転駆動され、前記噛み合い歯車に噛み合う前記係合歯車が回転して、前記延伸支柱が回転駆動され、前記延伸支柱が回転駆動され、それによって、多方向回転による湖沼ゴミの清掃機能が実現される。
【００１３】
本発明設備の構造が簡単で、使用も便利であり、この設備がマルチ構造リンケージ駆動フィルター構造を採用し、高効率な湖沼ゴミ掃除が実現され、船型ごみ処理の非効率的な作業を効果的に回避する。
【図面の簡単な説明】
【００１４】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１５】
【図１】本発明の全天候監視型湖沼管理システムの整体構造模式図である。
【図２】図1のAの拡大模式図である。
【発明を実施するための形態】
【００１６】
本発明書に開示した全ての特徴、或いは開示した全ての方法、過程中のステップは、互いに排斥する特徴或いはステップ以外に、いかなる方式で組み合わせることができる。
【００１７】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１８】
図1-2が示すように、本発明は一種全天候監視型湖沼管理システム，取り付け箱104を含み、前記取り付け箱104の中に伝動筐体100が固定設置され、前記伝動筐体100の右側に前記取り付け箱104の中に位置される回転筐体106が設置され、前記伝動筐体100の左端壁に駆動電機102が固定設置され、前記駆動電機102の輸出軸の右端面に駆動歯車103が固定設置され、前記駆動歯車103の下に従動歯車101が噛み合い設置され、前記従動歯車101の中に回転レバー111が固定設置され、前記回転レバー111が前記伝動筐体100の左端壁に回り係合接続され、前記伝動筐体100の右端壁に延伸支柱109が回り設置され、前記延伸支柱109が回って前記回転筐体106を貫いて右へ伸びて外部に伸べ、前記延伸支柱109の中に貫通筐体110が固定設置され、前記貫通筐体110の右側に前記延伸支柱109の中に位置される動力筐体115が設置され、前記回転レバー111が回って前記貫通筐体110を貫いて前記動力筐体115に入り込み、前記回転レバー111の右端面に駆動かさ歯車112が固定設置され、前記駆動かさ歯車112の下に従動かさ歯車114が噛み合い設置され、前記従動かさ歯車114の中に延伸レバー113が固定設置され、前記延伸レバー113が回って前記動力筐体115を貫いて外部に伸びて、前記延伸レバーの上下側に動力箱210が上下対称で設置され、前記動力箱210の中に連結筐体207が固定設置され、前記連結筐体207の上下端壁にボトム歯車208が固定設置され、前記ボトム歯車208の中に上下貫く貫通ホール209が固定設置され、前記ボトム歯車208の間に左右対称の包囲歯車201が噛み合い設置され、前記包囲歯車201の中に固定軸203が固定設置され、前記固定軸203が前記延伸レバー113に回り係合接続され、前記延伸レバー113が前記連結筐体207の中に入り込み、前記連結筐体207の上下端壁に回り係合接続され、前記連結筐体207の内壁に開いたリング溝211が輪状に設置され、前記リング溝211の中にいくつかのリングブロック206が滑り設置され、前記リングブロック206の間に遮るピースが設置され、前記連結筐体207を封じて、前記固定軸203が回って前記リングブロック206を貫いて前記延伸レバー113から離れ外部に伸びて、前記延伸レバー113から離れる前記固定軸203の端面にネット箱204が固定設置され、前記ネット箱204の中にフィルター205が固定設置され、前記延伸レバー113から離れる前記リングブロック206の端面にカバープレート202がボルトで係合接続され固定設置され、前記取り付け箱104の上端面に照明装置が固定設置される。
【００１９】
有益的には、其中，前記固定軸203が前記カバープレート202との接触部に防水ガスケットが設置される。
【００２０】
有益的には、其中，前記包囲歯車201とボトム歯車208が垂直に配置され、前記包囲歯車201が前記連結筐体207の歯型ラインの外側が前記延伸レバー113をめぐって回転する。
【００２１】
有益的には、其中，前記取り付け箱104が湖面の任意のフレーム構造に整合して架設され、フィルター205を水に入らせる。
【００２２】
有益的には、其中，前記延伸レバー113が回転してから、前記包囲歯車201とボトム歯車208との噛み合いによって、前記ネット箱204が回転して、前記延伸レバー113が前記動力箱210に回り係合される処に防水式軸受が採用される。
【００２３】
有益的には、其中，照明装置が接続台800を含み、前記接続台800の中に開き口が上向きのオープン取り付け筐体805が固定設置され、前記オープン取り付け筐体805の下端壁に開き口が上向きで左右対称の接続スロット溝804が連結設置され、前記オープン取り付け筐体805の中に固定レバー802が設置され、前記固定レバー802の下端面に左右対称の接続スロット803が固定設置され、前記接続スロット803が前記接続スロット溝804に入り込んで前記接続スロット溝804に支え合い、前記固定レバー802がボルトで前記接続台に固定され、前記固定レバー802の上端面にフラッシングライト801が固定設置される。  
【００２４】
本発明設備が初期状態では、前記駆動電機102と回転電機105が停止状態である。
【００２５】
設備が運行する時、前記駆動電機102が起動され、前記駆動歯車103を回転させ、前記駆動歯車103が回転した後で前記従動歯車101を連れて回転し、，前記駆動かさ歯車112が前記従動かさ歯車114を回転させ、前記従動かさ歯車114が回転してから前記延伸レバー113を回転させ、この時前記延伸レバー113が回転してから前記包囲歯車201が前記ボトム歯車208をめぐってローリングして、前記リングブロック206が前記リング溝211の中に滑動し、この時、前記固定軸203が回転して前記ネット箱204を回転させ、前記フィルター205が湖沼ゴミを付着させ、この時、前記フィルター205の移動軌跡が上下回転しながら左右回転するものであり、前記回転電機105が起動されてから前記噛み合い歯車107が回転駆動され、前記噛み合い歯車107に噛み合う前記係合歯車108が回転して、前記延伸支柱109が回転駆動され、前記延伸支柱113が回転駆動される。
【００２６】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2019196690.tif 000003
【図２】
2019196690.tif 000004
【手続補正書】
【提出日】平成31年2月14日(2019.2.14)
【手続補正１】
【補正対象書類名】特許請求の範囲
【補正対象項目名】請求項１
【補正方法】変更
【補正の内容】
【請求項１】
全天候監視型湖沼管理システムであって、取り付け箱を含み、前記取り付け箱の中に伝動筐体が固定設置され、前記伝動筐体の右側に前記取り付け箱の中に位置される回転筐体が設置され、前記伝動筐体の左端壁に駆動モータが固定設置され、前記駆動モータの出力軸の右端面に駆動歯車が固定設置され、前記駆動歯車の下に従動歯車が噛み合い設置され、前記従動歯車の中に回転レバーが固定設置され、前記回転レバーが前記伝動筐体の左端壁に回転できるように係合接続され、前記伝動筐体の右端壁に延伸支柱が回転できるように設置され、前記延伸支柱が回って前記回転筐体を貫いて右へ伸びて外部に伸べ、前記延伸支柱の中に貫通筐体が固定設置され、前記貫通筐体の右側に前記延伸支柱の中に位置される動力筐体が設置され、前記回転レバーが回って前記貫通筐体を貫いて前記動力筐体に入り込み、前記回転レバーの右端面に駆動かさ歯車が固定設置され、前記駆動かさ歯車の下に従動かさ歯車が噛み合い設置され、前記従動かさ歯車の中に延伸レバーが固定設置され、前記延伸レバーが回って前記動力筐体を貫いて外部に伸びて、前記延伸レバーの上下側に動力箱が上下対称で設置され、前記動力箱の中に連結筐体が固定設置され、前記連結筐体の上下端壁にボトム歯車が固定設置され、前記ボトム歯車の中に上下貫く貫通ホールが固定設置され、前記ボトム歯車の間に左右対称の包囲歯車が噛み合い設置され、前記包囲歯車の中に固定軸が固定設置され、前記固定軸が前記延伸レバーに回転できるように係合接続され、前記延伸レバーが前記連結筐体の中に入り込み、前記連結筐体の上下端壁に回転できるように係合接続され、前記連結筐体の内壁に開いたリング溝が輪状に設置され、前記リング溝の中にいくつかのリングブロックが滑り設置され、前記リングブロックの間に遮るピースが設置され、前記連結筐体を封じて、前記固定軸が回って前記リングブロックを貫いて前記延伸レバーから離れていて外部に伸びており、前記延伸レバーから離れている前記固定軸の端面にネット箱が固定設置され、前記ネット箱の中にフィルターが固定設置され、前記延伸レバーから離れている前記リングブロックの端面にカバープレートがボルトで係合接続され固定設置され、前記取り付け箱の上端面に照明装置が固定設置され、前記固定軸が前記カバープレートとの接触部に防水ガスケットが設置され、前記包囲歯車とボトム歯車が垂直に配置され、前記包囲歯車が前記ボトム歯車と噛み合い、且つ前記延伸レバーの周りを回り、前記取り付け箱が湖面の任意のフレーム構造に整合して架設され、フィルターを水に入らせ、前記延伸レバーが回転してから、前記包囲歯車とボトム歯車との噛み合いによって、前記ネット箱が回転して、前記延伸レバーが前記動力箱に回り係合される処に防水式軸受が採用され、照明装置が接続台を含み、前記接続台の中に開き口が上向きのオープン取り付け筐体が固定設置され、前記オープン取り付け筐体の下端壁に開き口が上向きで左右対称の接続スロット溝が連結設置され、前記オープン取り付け筐体の中に固定レバーが設置され、前記固定レバーの下端面に左右対称の接続スロットが固定設置され、前記接続スロットが前記接続スロット溝に入り込んで前記接続スロット溝に支え合い、前記固定レバーがボルトで前記接続台に固定され、前記固定レバーの上端面にフラッシングライトが固定設置されることを特徴とする全天候監視型湖沼管理システム。
【手続補正２】
【補正対象書類名】明細書
【補正対象項目名】全文
【補正方法】変更
【補正の内容】
【発明の詳細な説明】
【技術分野】
【０００１】
本発明はエコロジー分野に関し、具体的には、全天候監視型湖沼管理システムに関する。
【背景技術】
【０００２】
湖沼管理は環境保護の重要な仕事内容で、普段の湖沼管理では、船で湖沼表面のごみ清掃やリサイクルを行い、従業員の負担が増え、湖沼管理の効果が低下し、この設備で問題を解決する。
【先行技術文献】
【特許文献】
【０００３】
【特許文献１】中国特許出願公開第102862449号明細書
【発明の概要】
【発明が解決しようとする課題】
【０００４】
本発明の目的は上記の背景技術に提出された問題を解決するための全天候監視型湖沼管理システムを提供することにある。
【課題を解決するための手段】
【０００５】
本発明の全天候監視型湖沼管理システムは取り付け箱を含み、前記取り付け箱の中に伝動筐体が固定設置され、前記伝動筐体の右側に前記取り付け箱の中に位置される回転筐体が設置され、前記伝動筐体の左端壁に駆動モータが固定設置され、前記駆動モータの出力軸の右端面に駆動歯車が固定設置され、前記駆動歯車の下に従動歯車が噛み合い設置され、前記従動歯車の中に回転レバーが固定設置され、前記回転レバーが前記伝動筐体の左端壁に回転できるように係合接続され、前記伝動筐体の右端壁に延伸支柱が回転できるように設置され、前記延伸支柱が回って前記回転筐体を貫いて右へ伸びて外部に伸べ、前記延伸支柱の中に貫通筐体が固定設置され、前記貫通筐体の右側に前記延伸支柱の中に位置される動力筐体が設置され、前記回転レバーが回って前記貫通筐体を貫いて前記動力筐体に入り込み、前記回転レバーの右端面に駆動かさ歯車が固定設置され、前記駆動かさ歯車の下に従動かさ歯車が噛み合い設置され、前記従動かさ歯車の中に延伸レバーが固定設置され、前記延伸レバーが回って前記動力筐体を貫いて外部に伸びて、前記延伸レバーの上下側に動力箱が上下対称で設置され、前記動力箱の中に連結筐体が固定設置され、前記連結筐体の上下端壁にボトム歯車が固定設置され、前記ボトム歯車の中に上下貫く貫通ホールが固定設置され、前記ボトム歯車の間に左右対称の包囲歯車が噛み合い設置され、前記包囲歯車の中に固定軸が固定設置され、前記固定軸が前記延伸レバーに回転できるように係合接続され、前記延伸レバーが前記連結筐体の中に入り込み、前記連結筐体の上下端壁に回転できるように係合接続され、前記連結筐体の内壁に開いたリング溝が輪状に設置され、前記リング溝の中にいくつかのリングブロックが滑り設置され、前記リングブロックの間に遮るピースが設置され、前記連結筐体を封じて、前記固定軸が回って前記リングブロックを貫いて前記延伸レバーから離れていて外部に伸びており、前記延伸レバーから離れている前記固定軸の端面にネット箱が固定設置され、前記ネット箱の中にフィルターが固定設置され、前記延伸レバーから離れている前記リングブロックの端面にカバープレートがボルトで係合接続され固定設置され、前記取り付け箱の上端面に照明装置が固定設置される。
【０００６】
更の技術プラン、前記固定軸が前記カバープレートとの接触部に防水ガスケットが設置される。
【０００７】
更の技術プラン、前記包囲歯車とボトム歯車が垂直に配置され、前記包囲歯車が前記ボトム歯車と噛み合い、且つ前記延伸レバーの周りを回る。
【０００８】
更の技術プラン、前記取り付け箱が湖面の任意のフレーム構造に整合して架設され、フィルターを水に入らせる。
【０００９】
更の技術プラン、前記延伸レバーが回転してから、前記包囲歯車とボトム歯車との噛み合いによって、前記ネット箱が回転して、前記延伸レバーが前記動力箱に回り係合される処に防水式軸受が採用される。
【００１０】
更の技術プラン、照明装置が接続台を含み、前記接続台の中に開き口が上向きのオープン取り付け筐体が固定設置され、前記オープン取り付け筐体の下端壁に開き口が上向きで左右対称の接続スロット溝が連結設置され、前記オープン取り付け筐体の中に固定レバーが設置され、前記固定レバーの下端面に左右対称の接続スロットが固定設置され、前記接続スロットが前記接続スロット溝に入り込んで前記接続スロット溝に支え合い、前記固定レバーがボルトで前記接続台に固定され、前記固定レバーの上端面にフラッシングライトが固定設置される。
【発明の効果】
【００１１】
本発明設備が初期状態では、前記駆動モータと回転電機が停止状態であり、それによって、上記構成が初期状態では元の位置に位置され、次の作業で調整を行い、設備の作業強調性を有効に高める。
【００１２】
設備が運行する時、前記駆動モータが起動され、前記駆動歯車を回転させ、前記駆動歯車が回転した後で前記従動歯車を連れて回転し、，前記駆動かさ歯車が前記従動かさ歯車を回転させ、前記従動かさ歯車が回転してから前記延伸レバーを回転させ、この時前記延伸レバーが回転してから前記包囲歯車が前記ボトム歯車をめぐってローリングして、前記リングブロックが前記リング溝の中に滑動し、この時、前記固定軸が回転して前記ネット箱を回転させ、前記フィルターが湖沼ゴミを付着させ、この時、前記フィルターの移動軌跡が上下回転しながら左右回転するものであり、前記回転電機が起動されてから前記噛み合い歯車が回転駆動され、前記噛み合い歯車に噛み合う前記係合歯車が回転して、前記延伸支柱が回転駆動され、前記延伸支柱が回転駆動され、それによって、多方向回転による湖沼ゴミの清掃機能が実現される。
【００１３】
本発明設備の構造が簡単で、使用も便利であり、この設備がマルチ構造リンケージ駆動フィルター構造を採用し、高効率な湖沼ゴミ掃除が実現され、船型ごみ処理の非効率的な作業を効果的に回避する。
【図面の簡単な説明】
【００１４】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１５】
【図１】本発明の全天候監視型湖沼管理システムの整体構造模式図である。
【図２】図1のAの拡大模式図である。
【発明を実施するための形態】
【００１６】
本発明書に開示した全ての特徴、或いは開示した全ての方法、過程中のステップは、互いに排斥する特徴或いはステップ以外に、いかなる方式で組み合わせることができる。
【００１７】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１８】
図1-2が示すように、本発明は一種全天候監視型湖沼管理システム，取り付け箱104を含み、前記取り付け箱104の中に伝動筐体100が固定設置され、前記伝動筐体100の右側に前記取り付け箱104の中に位置される回転筐体106が設置され、前記伝動筐体100の左端壁に駆動モータ102が固定設置され、前記駆動モータ102の出力軸の右端面に駆動歯車103が固定設置され、前記駆動歯車103の下に従動歯車101が噛み合い設置され、前記従動歯車101の中に回転レバー111が固定設置され、前記回転レバー111が前記伝動筐体100の左端壁に回転できるように係合接続され、前記伝動筐体100の右端壁に延伸支柱109が回転できるように設置され、前記延伸支柱109が回って前記回転筐体106を貫いて右へ伸びて外部に伸べ、前記延伸支柱109の中に貫通筐体110が固定設置され、前記貫通筐体110の右側に前記延伸支柱109の中に位置される動力筐体115が設置され、前記回転レバー111が回って前記貫通筐体110を貫いて前記動力筐体115に入り込み、前記回転レバー111の右端面に駆動かさ歯車112が固定設置され、前記駆動かさ歯車112の下に従動かさ歯車114が噛み合い設置され、前記従動かさ歯車114の中に延伸レバー113が固定設置され、前記延伸レバー113が回って前記動力筐体115を貫いて外部に伸びて、前記延伸レバーの上下側に動力箱210が上下対称で設置され、前記動力箱210の中に連結筐体207が固定設置され、前記連結筐体207の上下端壁にボトム歯車208が固定設置され、前記ボトム歯車208の中に上下貫く貫通ホール209が固定設置され、前記ボトム歯車208の間に左右対称の包囲歯車201が噛み合い設置され、前記包囲歯車201の中に固定軸203が固定設置され、前記固定軸203が前記延伸レバー113に回転できるように係合接続され、前記延伸レバー113が前記連結筐体207の中に入り込み、前記連結筐体207の上下端壁に回転できるように係合接続され、前記連結筐体207の内壁に開いたリング溝211が輪状に設置され、前記リング溝211の中にいくつかのリングブロック206が滑り設置され、前記リングブロック206の間に遮るピースが設置され、前記連結筐体207を封じて、前記固定軸203が回って前記リングブロック206を貫いて前記延伸レバー113から離れていて外部に伸びており、前記延伸レバー113から離れている前記固定軸203の端面にネット箱204が固定設置され、前記ネット箱204の中にフィルター205が固定設置され、前記延伸レバー113から離れている前記リングブロック206の端面にカバープレート202がボルトで係合接続され固定設置され、前記取り付け箱104の上端面に照明装置が固定設置される。
【００１９】
有益的には、其中，前記固定軸203が前記カバープレート202との接触部に防水ガスケットが設置される。
【００２０】
有益的には、其中，前記包囲歯車201とボトム歯車208が垂直に配置され、前記包囲歯車201が前記ボトム歯車208と噛み合い、且つ前記延伸レバー113の周りを回る。
【００２１】
有益的には、其中，前記取り付け箱104が湖面の任意のフレーム構造に整合して架設され、フィルター205を水に入らせる。
【００２２】
有益的には、其中，前記延伸レバー113が回転してから、前記包囲歯車201とボトム歯車208との噛み合いによって、前記ネット箱204が回転して、前記延伸レバー113が前記動力箱210に回り係合される処に防水式軸受が採用される。
【００２３】
有益的には、其中，照明装置が接続台800を含み、前記接続台800の中に開き口が上向きのオープン取り付け筐体805が固定設置され、前記オープン取り付け筐体805の下端壁に開き口が上向きで左右対称の接続スロット溝804が連結設置され、前記オープン取り付け筐体805の中に固定レバー802が設置され、前記固定レバー802の下端面に左右対称の接続スロット803が固定設置され、前記接続スロット803が前記接続スロット溝804に入り込んで前記接続スロット溝804に支え合い、前記固定レバー802がボルトで前記接続台に固定され、前記固定レバー802の上端面にフラッシングライト801が固定設置される。  
【００２４】
本発明設備が初期状態では、前記駆動モータ102と回転電機105が停止状態である。
【００２５】
設備が運行する時、前記駆動モータ102が起動され、前記駆動歯車103を回転させ、前記駆動歯車103が回転した後で前記従動歯車101を連れて回転し、，前記駆動かさ歯車112が前記従動かさ歯車114を回転させ、前記従動かさ歯車114が回転してから前記延伸レバー113を回転させ、この時前記延伸レバー113が回転してから前記包囲歯車201が前記ボトム歯車208をめぐってローリングして、前記リングブロック206が前記リング溝211の中に滑動し、この時、前記固定軸203が回転して前記ネット箱204を回転させ、前記フィルター205が湖沼ゴミを付着させ、この時、前記フィルター205の移動軌跡が上下回転しながら左右回転するものであり、前記回転電機105が起動されてから前記噛み合い歯車107が回転駆動され、前記噛み合い歯車107に噛み合う前記係合歯車108が回転して、前記延伸支柱109が回転駆動され、前記延伸支柱113が回転駆動される。
【００２６】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。